(57)【要約】      （修正有）【課題】ＰＴＰシートから取り出された被収容物を比較的容易に外部に取り出すことができる容器を提供する。【解決手段】被収容物が収容されたＰＴＰシートが配置されるシート配置部と、シート配置部１０に配置された前記ＰＴＰシートから取り出された被収容物を受けて収容する収容部１１と、を備え、収容部は、被収容物を外部に取り出すための取り出し開口１２が形成されており、収容部に収容された前記被収容物を前記取り出し開口に誘導する誘導部１３を有し、誘導部は、外面の一の面が水平となるように配したときに、収容部に収容された被収容物を前記取り出し開口に向けて移動させるように傾斜されている斜面１３１を有する。【選択図】図１
2019156413.tif 000002
【特許請求の範囲】
【請求項１】
被収容物が収容されたＰＴＰシートが配置されるシート配置部と、
該シート配置部に配置された前記ＰＴＰシートから取り出された前記被収容物を受けて収容する収容部と、を備え、
前記収容部は、
前記被収容物を外部に取り出すための取り出し開口が形成されており、
前記収容部に収容された前記被収容物を前記取り出し開口に誘導する誘導部を有し、
前記誘導部は、外面の一の面が水平となるように配したときに、前記収容部に収容された前記被収容物を前記取り出し開口に向けて移動させるように傾斜されている斜面を有する、
容器。
【請求項２】
前記収容部は、前記誘導部または前記取り出し開口の内周縁部に、前記収容部に収容された前記被収容物が前記取り出し開口を通過して外部に取り出されることを検出するセンサを有する、
請求項１に記載の容器。
【発明の詳細な説明】
【技術分野】
【０００１】
本発明は、被収容物が収容されたＰＴＰシートが配置されるシート配置部と、該シート配置部に配置された前記ＰＴＰシートから取り出された前記被収容物を受けて収容する収容部と、前記収容部に収容された前記被収容物を外部に取り出すための取り出し開口とを備える容器に関する。
【背景技術】
【０００２】
被収容物が収容されたＰＴＰシートが配置されるシート配置部と、該シート配置部に配置された前記ＰＴＰシートから取り出された前記被収容物を受けて収容する収容部と、前記収容部に収容された前記被収容物を外部に取り出すための取り出し開口とを備える容器が知られている（例えば、特許文献１）。該容器は、前記被収容物の取り出し時における衛生面及び紛失防止のためなどに使用されたり、前記被収容物が医薬品である場合には、服薬管理のためなどに使用される。
【０００３】
特許文献１に開示された容器（収納ケース）は、略直方体形状に形成されていて、その内部に、前記ＰＴＰシートが配置されるシート配置部と、前記シート配置部に配置された前記ＰＴＰシートから取り出された前記被収容物を受けて収容する受部とを備えている。前記受部は、前記被収容物を前記収納ケースの外部に取り出すための開口を備えている。
【先行技術文献】
【特許文献】
【０００４】
【特許文献１】特開２００４−１８８１８６号公報
【発明の概要】
【発明が解決しようとする課題】
【０００５】
ところで、特許文献１に記載の収納ケースにおいて、前記受部に受けられて収容された前記被収容物を前記収納ケースの外部に取り出すためには、前記受部で前記被収容物を受けて収容した後、前記被収容物が前記開口に向かうように、前記収納ケースを傾ける必要がある。
【０００６】
しかしながら、前記シート配置部にＰＴＰシートが配され、外部から前記収納ケース内を視認できない状態では、前記収納ケース内における前記開口の位置を確認できないことから、前記開口に向けて前記被収容物を移動させるために前記収納ケースを傾ける角度を一度で決めることは必ずしも容易ではない。そのため、前記被収容物を前記開口まで移動させるために、前記収納ケースを傾ける角度の調節を複数回行うことがあり、前記収納ケースの外部に前記被収容物を取り出すことに煩わしさを伴うことがある。
【０００７】
このような問題点に鑑み、本発明は、ＰＴＰシートから取り出された被収容物を比較的容易に外部に取り出すことができる容器を提供することを課題とする。
【課題を解決するための手段】
【０００８】
被収容物が収容されたＰＴＰシートが配置されるシート配置部と、
該シート配置部に配置された前記ＰＴＰシートから取り出された前記被収容物を受けて収容する収容部と、を備え、
前記収容部は、
前記被収容物を外部に取り出すための取り出し開口が形成されており、
前記収容部に収容された前記被収容物を前記取り出し開口に誘導する誘導部を有し、
前記誘導部は、外面の一の面が水平となるように配したときに、前記収容部に収容された前記被収容物を前記取り出し開口に向けて移動させるように傾斜されている斜面を有する。
【０００９】
斯かる構成によれば、前記収容部が、前記収容部に収容された前記被収容物を前記取り出し開口に誘導する誘導部を有し、前記誘導部が、外面の一の面が水平となるように配したときに、前記収容部に収容された前記被収容物を前記取り出し開口に向けて移動させるように傾斜されている斜面を有しているので、外面の一の面が水平となるように配することにより、前記斜面によって前記被収容物を移動させることができる。その結果、前記被収容物を前記取り出し開口に向けて比較的容易に移動させることができる。
これにより、前記ＰＴＰシートから前記収容部に受けられて収容された被収容物を比較的容易に外部に取り出すことができる。
【００１０】
また、上記容器においては、
前記収容部は、前記誘導部または前記取り出し開口の内周縁部に、前記収容部に収容された前記被収容物が前記取り出し開口を通過して外部に取り出されることを検出するセンサを有していてもよい。
【００１１】
斯かる構成によれば、前記収容部が、前記誘導部または前記取り出し開口の内周縁部に、前記収容部に収容された前記被収容物が前記取り出し開口を通過して外部に取り出されることを検出するセンサを有しているので、前記被収容物が前記取り出し開口を通過して外部に取り出されることを確実に検出することができる。
【発明の効果】
【００１２】
以上のように、本発明によれば、ＰＴＰシートから取り出された被収容物を比較的容易に外部に取り出すことができる容器が提供される。
【図面の簡単な説明】
【００１３】
【図１】本発明の一実施形態に係る容器の構成を示す斜視図。
【図２】本発明の一実施形態に係る容器の取り出し開口周辺を拡大して示した斜視図。
【図３】ＰＴＰシートの構成を示す平面図。
【図４】本発明の一実施形態に係る容器にＰＴＰシートが取り付けられた状態を示す斜視図。
【図５】ＰＴＰシートが取り付けられた本発明の一実施形態に係る容器について蓋体を閉めた状態を示す斜視図。
【図６】被収容物がＰＴＰシートから取り出される状態を示すＶＩ−ＶＩ線断面図。
【図７】本発明の他の実施形態に係る容器の構成を示す斜視図。
【図８】本発明のさらに他の実施形態に係る容器の構成を示す斜視図。
【発明を実施するための形態】
【００１４】
以下、本発明の一実施形態に係る容器について、図面を参照しながら説明する。
【００１５】
本発明の一実施形態に係る容器１は、図１に示したように、被収容物が収容されたＰＴＰシートが配置されるシート配置部１０と、シート配置部１０に配置された前記ＰＴＰシートから取り出された前記被収容物を受けて収容する収容部１１と、シート配置部１０側に開閉可能に取り付けられた蓋体２０とを備えている。本実施形態では、収容部１１は中空の略直方体状に形成されている。すなわち、収容部１１は、内部に中空空間１１０を有する略直方体形状に形成されている。また、蓋体２０は略長方形状の平板に形成されている。
本実施形態では、前記被収容物として、ＰＴＰシートに収容されている、医薬品またはサプリメントなどの錠剤またはカプセルなどが挙げられる。なお、以下では、前記被収容物が医薬品である場合を例に説明する。
また、以下では、収容部１１における蓋体２０が取り付けられた側を上方側とし、これと逆側を下方側とし、収容部１１の長手方向の一端側（本実施形態では紙面手前側）を前方側とし、長手方向の他端側（本実施形態では紙面奥側）を後方側とし、収容部１１の短手方向の一端側（紙面手前側）を右方側とし、短手方向の他端側（紙面奥側）を左方側として説明する。
【００１６】
本実施形態では、収容部１１の右方側の面に、前記被収容物を外部に取り出すための取り出し開口１２が形成されている。詳しくは、取り出し開口１２は、収容部１１の右方側の面の前方側（後述する記録部３０側）に形成されている。収容部１１において、中空空間１１０は、取り出し開口１２につながっている。収容部１１における後方側の両コーナー部（コーナー部１１１、１１２）の内周面部１１１ａ、１１２ａは、所定の曲率半径を有する円弧状に形成されている。シート配置部１０は、収容部１１の上方側を覆うように、略長方形状の平板に形成されている。シート配置部１０には、シート配置部１０に配置された前記ＰＴＰシートから取り出された前記被収容物を収容部１１に向けて通過させる通過開口１０１が形成されている。
【００１７】
収容部１１は、その内部に、収容部１１に収容された前記被収容物を取り出し開口１２に誘導する誘導部１３を備えている。誘導部１３は、容器１の外面の一の面（本実施形態では、後述する記録部３０の前方側の面。以下、取り出し基準面ともいう。）を下方に向けつつ、かつ該一の面が水平となるように配したときに、収容部１１に収容された前記被収容物を取り出し開口１２に向けて移動させるように傾斜されている斜面１３１を有している。斜面１３１は、取り出し開口１２の前方側につながっている。本実施形態では、斜面１３１は、取り出し開口１２の前方側に段差なくつながっている。斜面１３１が取り出し開口１２の前方側に段差なくつながっていると、取り出し基準面が水平となるように容器１を配したときに、収容部１１に収容された前記被収容物を取り出し開口１２までよりスムーズに移動させることができるので、該被収容物を取り出し開口１２からより容易に外部に取り出すことができる。斜面１３１は、前記被収容物が取り出し開口１２に誘導されるように、一方向のみから傾斜している。斜面１３１がこのように傾斜していると、１回の服用時に前記被収容物を複数取り出す必要があったとしても、取り出し基準面が水平となるように容器１を配したときに、複数の前記被収容物を取り出し開口１２に向けて１つずつ順に移動させることができる。そのため、複数の前記被収容物が同時に取り出し開口１２に達することにより、複数の前記被収容物によって取り出し開口１２が詰まることを抑制することができる。本実施形態では、斜面１３１は、所定の曲率半径を有する円弧部分を含む弧状に形成されている。このように、斜面１３１が所定の曲率半径を有する円弧部分を含んでいると、前記ＰＴＰシートから取り出された前記被収容物が斜面１３１に接触するときに、前記被収容物が斜面１３１から受ける力を比較的小さくすることができるので、斜面１３１から受ける力によって前記被収容物が破損することを抑制することができる。本実施形態では、斜面１３１の円弧部分の曲率半径は、コーナー部１１１の内周面部１１１ａの曲率半径及びコーナー部１１２の内周面部１１２ａの曲率半径よりも大きくなっている。斜面１３１の円弧部分の曲率半径をこのようにすると、取り出し基準面が水平となるように容器１を配したときに、収容部１１に取り出され収容された前記被収容物をより容易に外部に取り出すことができる。
【００１８】
図２に示したように、収容部１１は、誘導部１３または取り出し開口１２の内周縁部１２１に、収容部１１に収容された前記被収容物が取り出し開口１２を通過して外部に取り出されることを検出するセンサ１１３を有している。センサ１１３としては、取り出し開口１２から前記被収容物が取り出されたことを、非接触状態にて検出することができる光電センサを用いることができる。該光電センサとしては、レーザセンサなどを用いることができる。本実施形態では、透過検出型のレーザセンサが使用されている。レーザセンサは、レーザ光を投光する投光部１１３ａと、投光部１１３ａから投光されたレーザ光を受光する受光部１１３ｂとを備えていて、投光部１１３ａ及び受光部１１３ｂは、取り出し開口１２の内周縁部１２１における互いに向かい合う位置に配されている。本実施形態では、投光部１１３ａ及び受光部１１３ｂは、内周縁部１２１における取り出し基準面に直交する方向の互いに向かい合う位置に配されている。詳しくは、投光部１１３ａが、斜面１３１とつながっていない側の内周縁部１２１に配され、受光部１１３ｂが、斜面１３１とつながっている側の内周縁部１２１に配されている。センサ１１３をこのように配置することにより、取り出し基準面が水平となるように容器１を配して、前記被収容物を外部に取り出すときに、投光部１１３ａ及び受光部１１３ｂと前記被収容物とがより十分に重なるようにすることができる。これにより、前記被収容物が取り出し開口１２から外部に取り出されたことをより確実に検出することができる。透過検出型のレーザセンサにおいては、収容部１１に受けられて収容された被収容物が、取り出し開口１２を通過して外部に取り出されるときに、被収容物によって投光部１１３ａから受光部１１３ｂへ投光されるレーザ光の一部が遮られ、受光部１１３ｂで受光されるレーザ光の量が減少する。このレーザ光の量の減少を検出することにより、収容部１１に受けられた被収容物が、取り出し開口１２を通過して外部に取り出されたことが検出される。
また、上述のように、斜面１３１が、前記被収容物が取り出し開口１２に誘導されるように、一方向のみから傾斜していると、１回の服用時に前記被収容物を複数取り出す必要があったとしても、取り出し基準面が水平となるように容器１を配したときに、複数の前記被収容物を取り出し開口１２に向けて１つずつ順に移動させることができることから、センサ１１３によって、取り出し開口１２を通過して外部に取り出される前記被収容物を１個ずつ確実に検出することができる。これにより、前記被収容物が決められた個数だけ容器１の外部に取り出されたことを確実に検出することができる。
【００１９】
蓋体２０には、ＰＴＰシートにおける被収容物を収容させる第１収容開口２１が形成されている。第１収容開口２１は、蓋体２０を閉じた状態で、通過開口１０１と重なる位置に形成されている。本実施形態では、蓋体２０は、蓋体２０が閉じられた状態において、蓋体２０の下方側の全域がシート配置部１０の上方側の全域と重なるように形成されている。
【００２０】
容器１は、収容部１１の前方側に、センサ１１３によって検出された検出結果を記録する記録部３０を有している。本実施形態では、記録部３０の前方側の面が取り出し基準面となっている。前述のように、本実施形態では、取り出し開口１２が収容部１１の右方側の面に形成されている、すなわち、取り出し基準面と直交する面に取り出し開口１２が形成されていることから、取り出し基準面が水平となるように容器１を配したときに、前記被収容物を取り出し開口１２から外部に比較的容易に取り出すことができる。記録部３０は、収容部１１よりも背高の中空直方体形状に形成されている。記録部３０を収容部１１よりも背高に形成することにより、取り出し基準面の面積を大きくすることができることから、取り出し基準面が水平となるように容器１を配したときに、容器１をより安定した状態で直立させて、収容部１１に受けられて収容された前記被収容物を取り出し開口１２から外部に取り出すことができる。本実施形態では、記録部３０は、蓋体２０の厚さ分だけ収容部１１よりも背高に形成されている。そのため、蓋体２０が閉じられた状態では、蓋体２０の上方側の面と、記録部３０の上方側の面とは面一となる。また、記録部３０は、左右方向の幅が収容部１１の左右方向（短手方向）の幅と略同一となるように形成されている。記録部３０は、収容部１１の重さよりも重くなるように構成されている。記録部３０をこのように構成すると、取り出し基準面が水平となるように容器１を配したときに、容器１をより安定させた状態で直立させて、収容部１１に受けられて収容された前記被収容物を取り出し開口１２から外部に取り出すことができる。本実施形態では、記録部３０内には、投光部１１３ａを駆動させるための電源と、受光部１１３ｂで受光されたレーザ光の量によって、前記被収容物が取り出し開口１２から取り出されたことを判断する判断部と、該判断部によって判断された前記被収容物の取り出し情報を保管する取り出し情報保管部と、該取り出し情報保管部に保管された前記被収容物の取り出し情報を、取り出し情報に関するアプリケーションをインストールした、前記被収容物の服用者の外部端末（スマートフォンなど）に送信するための送信部とが収容されている。
【００２１】
図３に示したように、ＰＴＰシート４０は、被収容物４１１を収容するシート材４１と、該シート材４１の一方面側に取り付けられる蓋材４２とを備えている。シート材４１は、平板状に形成された本体部４１２と、本体部４１２の板面から外方に膨出するように形成された、被収容物４１１を収容するポケット４１３とを備えている。蓋材４２は、本体部４１２の寸法と略同一の寸法を有するように形成されている。被収容物４１１をポケット４１３に収容した状態で、ポケット４１３が形成されていない面側から、蓋材４２を本体部４１２に取り付けることにより、ＰＴＰシート４０とすることができる。シート材４１は、熱可塑性樹脂などを成形加工することにより得ることができる。蓋材４２は、表面が樹脂コートされたアルミ箔などを所定形状に裁断することにより得ることができる。アルミ箔などの表面を樹脂コートすることにより、被収容物４１１をポケット４１３から取り出すときに、蓋材４２が収容部１１内に落下することを抑制することができる。シート材４１において、ポケット４１３は、ポケット４１３に収容される被収容物４１１の寸法よりもやや大きい寸法となるように形成されている。ポケット４１３の外周の大きさは、第１収容開口２１の外周の大きさと略同一となるように形成されている。本実施形態では、被収容物４１１として円盤形の錠剤が用いられているため、ポケット４１３の外周は円形となっている。そのため、蓋体２０に形成されている第１収容開口２１は、ポケット４１３の外周と同様に円形をなすように形成されている。
【００２２】
次に、本実施形態に係る容器１の使用例について説明する。
【００２３】
本実施形態に係る容器１の使用に際しては、まず、ポケット４１３の位置が、蓋体２０に形成されている第１収容開口２１の位置と合うように、シート配置部１０の上方側にＰＴＰシート４０を配置する（図４参照）。
【００２４】
次に、第１収容開口２１がポケット４１３を収容するように、蓋体２０を閉じる（図５参照）。上記のように、ポケット４１３の外周の大きさと、第１収容開口２１の外周の大きさとは略同一とされているので、蓋体２０を閉じた状態においては、第１収容開口２１の内周縁部がポケット４１３を保持することとなる。
【００２５】
次に、第１収容開口２１の内周縁部がポケット４１３を保持した状態で、ポケット４１３の上方側からポケット４１３内の被収容物４１１を指などで押圧することにより蓋材４２を破って、ポケット４１３内に収容されている被収容物４１１を収容部１１内に取り出す（図６参照）。
【００２６】
次に、容器１を取り出し基準面に水平となるように配する。容器１をこのように配することにより、収容部１１内に受けられて収容された被収容物４１１に重力を作用させて、被収容物４１１を誘導部１３の斜面１３１まで移動させる。続いて、斜面１３１に移動された被収容物４１１を取り出し開口１２に向かって移動させて、被収容物４１１を取り出し開口１２から外部に取り出す。
【００２７】
取り出し開口１２からの被収容物４１１の取り出しは、レーザセンサの受光部１１３ｂが受光したレーザ光の量に基づいて、判断部により判断される。該判断部によって判断された被収容物４１１の取り出し情報は、取り出し情報保管部に保管された後、送信部によって、前記取り出しに情報に関するアプリケーションをインストールした、被収容物４１１の服用者の外部端末（スマートフォンなど）に送信される。前記服用者の外部端末に送信された被収容物４１１の取り出し情報は、前記服用者の外部端末のアプリケーションに登録された登録者（家族や介護者など）に送信することができる。また、前記服用者の外部端末に送信された被収容物４１１の取り出し情報は、前記服用者が調剤薬局に訪れた際に、該調剤薬局に備えられたタブレット端末などの外部端末によって読み出され、服薬指導の情報として、薬剤師によって活用されることができる。
また、上述のように、本実施形態に係る容器１では、斜面が一方向のみから傾斜しているので、１回の服用時に被収容物４１１を複数取り出す必要があったとしても、取り出し基準面が水平となるように容器１を配したときに、複数の被収容物４１１を取り出し開口１２に向けて１つずつ順に移動させることができることができる。そのため、センサ１１３によって、取り出し開口１２から外部に取り出される被収容物４１１を１個ずつ確実に検出することができる。これにより、前記登録者や薬剤師は、前記服用者が複数の被収容物４１１を服用したことを確実に確認することができる。
【００２８】
上述の実施形態は、本発明を説明するためのものであり、本発明の範囲を限定するものではない。つまり、本発明の範囲は、実施形態ではなく、特許請求の範囲によって示される。そして、特許請求の範囲内およびそれと同等の発明の意義の範囲内で施される様々な変形が、本発明の範囲内とみなされる。
【００２９】
上記実施形態では、誘導部１３にて、斜面１３１を所定の曲率半径を有する円弧を含む弧状に形成する例、すなわち、スムーズな取り出しをより容易にする上において、斜面１３１を取り出し開口１２に向けて先下がりとし、しかも、斜面１３１を取り出し開口１２に近付くにしたがって傾斜が緩やかとなる弧状に形成する例について説明したが、斜面１３１の形状はこれに限られるものではない。斜面１３１は、全体が所定の曲率半径を有する円弧として形成されていてもよい。あるいは、斜面１３１は、所定の曲率半径を有する円弧部分を含まないように形成されていてもよい。例えば、斜面１３１は、取り出し開口１２の前方側に向かって一直線に延びる面として形成されていてもよい。あるいは、斜面１３１は、取り出し開口１２の前方側から収容部１１の左方側に向かって、取り出し基準面と平行方向に対して所定の角度で一直線に延びる第１面部と、取り出し基準面と平行方向に対して該第１面部よりも急峻な角度で収容部１１の左方側に一直線にさらに延びる第２面部とを備えていてもよい。
【００３０】
上記実施形態では、被収容物４１１を円盤状の錠剤とし、蓋体２０に形成されている第１収容開口２１の形状をポケット４１３と略同じ大きさを有する円形とする例について説明したが、被収容物４１１の形状、及び蓋体２０に形成されている第１収容開口２１の形状はこれに限られるものではない。図７に示したように、蓋体２０に形成されている第１収容開口２１は、長孔状に形成されていてもよい。このようにすれば、ＰＴＰシート４０のポケット４１３に収容されている被収容物４１１が、断面楕円形状のカプセルであったとしても、本発明の容器１に取り付けて使用することができる。また、被収容物４１１の形状が円盤状の錠剤であったとしても、図７に示したように、被収容物４１１を長孔状の第１収容開口２１に収容できることから、該錠剤をポケット４１３に収容しているＰＴＰシート４０を、本発明の容器１に取り付けて使用することができる。
【００３１】
上記実施形態では、蓋体２０に第１収容開口２１のみが形成されている例について説明したが、蓋体２０を構成する例はこれに限られるものではない。図８に示したように、蓋体２０は、ＰＴＰシート４０のポケット４１３に収容されている円盤状の被収容物４１１の大きさに応じて、長孔状の第１収容開口２１の大きさを調節できるように構成されていてもよい。長孔状の第１収容開口２１の大きさを調節するために、蓋体２０は、蓋体２０内にスライド可能に配され、かつスライドさせることにより第１収容開口２１の一部を閉塞させるスライド部材２２を備えていてもよい。スライド部材２２は、略長方形状の平板の基体部２２１と、基体部２２１の長手方向の一端部側の部位から外方に突出されている摘み部２２２と、蓋体２０の第１収容開口２１と略同一形状を有し、かつ基体部２２１における第１収容開口２１と対応する位置に形成されている第２収容開口２２３と有していてもよい。基体部２２１は、長手方向の長さが蓋体２０の長手方向の長さと略同一となり、短手方向の長さが蓋体２０の短手方向の長さよりも短くなっていてもよい。スライド部材２２は、第２収容開口２２３のそれぞれが第１収容開口２１のそれぞれと重なり、かつ摘み部２２２が蓋体２０の長手方向の一端部側（本実施形態では、蓋体２０の後方側）の部位から突出するように、蓋体２０内に配される。前述のように、基体部２２１の短手方向の長さは、蓋体２０の短手方向の長さよりも短くなっているので、スライド部材２２を短手方向にスライドさせることができる。スライド部材２２を短手方向にスライドさせるにつれて、図８に示したように、スライド方向において、第１収容開口２１の一部と基体部２２１の一部とが重ねるようになるので、その重なり部分によって第１収容開口２１の大きさが調節されることとなる。そのため、長孔状の第１収容開口２１よりも小さい外周を有する円盤状の被収容物４１１を収容しているＰＴＰシート４０を本発明の容器１に取り付けた場合であったとしても、スライド部材２２で第１収容開口２１の大きさを調節することにより、第１収容開口２１内に被収容物４１１を保持した状態で、被収容物４１１を収容部１１内に取り出して収容した後、収容部１１内の被収容物４１１を取り出し開口１２から外部に取り出すことができる。そのため、ＰＴＰシート４０のポケット４１３から収容部１１内に被収容物４１１を取り出すときに、シート材４１の板面に垂直な方向から被収容物４１１を指などで押圧し易くなるので、被収容物４１１を押圧する力の逃げを抑制することができる。これにより、より少ない力でＰＴＰシート４０のポケット４１３から収容部１１内に被収容物４１１を取り出すことができる。
【符号の説明】
【００３２】
１  容器、
１０  シート配置部、１１  収容部、１２  取り出し開口、１３  誘導部、
１０１  通過開口、１１０  中空空間、１１１  コーナー部、１１１ａ  内周面部、１１２  コーナー部、１１２ａ  内周面部、１１３  センサ、１１３ａ  投光部、１１３ｂ  受光部、１２１  内周縁部、１３１  斜面、
２０  蓋体、２１  第１収容開口、２２  スライド部材、
２２１  基体部、２２２  摘み部、２２３  第２収容開口、
３０  記録部、
４０  ＰＴＰシート、４１  シート材、４２  蓋材、
４１１  被収容物、４１２  本体部、４１３  ポケット。
【図１】
2019156413.tif 000003
【図２】
2019156413.tif 000004
【図３】
2019156413.tif 000005
【図４】
2019156413.tif 000006
【図５】
2019156413.tif 000007
【図６】
2019156413.tif 000008
【図７】
2019156413.tif 000009
【図８】
2019156413.tif 000010